(57)【要約】【課題】  円筒部の嵌合孔に軸心方向に沿って円周上に溝を設け、該溝に嵌合孔の内周面とロッドの外周面に係合するボールを嵌挿し、円筒部の接触面圧を低減する。【解決手段】  電磁弁４０は、磁性体のハウジング４１を有し、該ハウジング４１は円筒部４２とフランジ部４３とを備える。ハウジング４１の内方には、嵌合孔４４が貫通して形成される。円筒部４２には、軸心方向に沿って円周上に横断面略円弧状の３個の溝４５ａ〜４５ｃが等間隔で形成される。溝４５ａ〜４５ｃの円弧状の曲率は球形状のボール４７ａ〜４７ｃの曲率よりも大きく形成される。溝４５ａ〜４５ｃにはロッド４６の外周面に当接する磁性体の金属製のボール４７ａ〜４７ｃが嵌挿され、ロッド４６は、ボール４７ａ〜４７ｃにより摺動自在に支承される。【選択図】図１
2005344904.tif 000002
【特許請求の範囲】
【請求項１】
ハウジングの外周にソレノイドを配置すると共に該ハウジングに嵌合孔を形成し、前記嵌合孔に摺動自在に支承されるロッドを備えた電磁弁において、
前記ハウジングの内周面の軸心方向に沿って円周上に等間隔に横断面略円弧形状に形成された溝と、
前記溝に回転自在に嵌挿されたボールと、
を備え、
前記ボールが前記ロッドの外周面及び前記溝に係合して回動し、ロッドを摺動自在に支承することを特徴とする電磁弁。
【請求項２】
請求項１記載の電磁弁において、
前記溝は少なくとも３個有することを特徴とする電磁弁。
【請求項３】
請求項１または２記載の電磁弁において、
前記円弧形状の曲率は前記ボールの曲率よりもわずかに大きくすることを特徴とする電磁弁。
【請求項４】
請求項１乃至３のいずれか１項に記載の電磁弁において、
前記溝はアーチ形状を有することを特徴とする電磁弁。
【発明の詳細な説明】
【技術分野】
【０００１】
本発明は、印加電流に応じてスプールを変位させて加圧流体を制御する電磁弁に関し、さらに詳細には可動鉄芯を装着して変位するロッドを支持するスライド軸受の改良に関する。
【背景技術】
【０００２】
従来、この種のスライド軸受は、コア１２（特許文献１に記載に符号）の外側にソレノイド１４（特許文献１に記載の符号）を配置すると共に、コア１２の内側に嵌合孔１２ａ（特許文献１に記載の符号）を形成し、該嵌合孔１２ａに樹脂製の円筒形状のリテーナ２１（特許文献１に記載の符号）を挿入し、該リテーナ２１に円周方向へ離間してボール２０（特許文献１に記載の符号）を弾性的に保持するボール保持部２４（特許文献１に記載の符号）を設け、該ボール保持部２４に連続形成してボール保持部２４から移行させたボール２０を軸方向に転動自在に支持するスリット２３（特許文献１に記載の符号）がリテーナ２１に設けられている（例えば、特許文献１参照）。
【特許文献１】特開２０００−２２７１１４号公報
【発明の開示】
【発明が解決しようとする課題】
【０００３】
しかしながら、特許文献１はボール２０を支持する樹脂製のリテーナ２１が円筒形状であるため、リテーナ２１の接触面圧が高く、高硬度の材質を用いないと耐久性が低下する。
本発明は、前記の不具合を解決するためになされたもので、ボールを保持するリテーナ部材の接触面圧を低減することを特徴とする電磁弁を提供することを目的とする。
【課題を解決するための手段】
【０００４】
上記の課題を達成するために、本発明は、ハウジングの外周にソレノイドを配置すると共に該ハウジングに嵌合孔を形成し、前記嵌合孔に摺動自在に支承されるロッドを備えた電磁弁において、
前記ハウジングの内周面の軸心方向に沿って円周上に等間隔に横断面略円弧形状に形成された溝と、
前記溝に回転自在に嵌挿されたボールと、
を備え、
前記ボールが前記ロッドの外周面及び前記溝に係合して回動し、ロッドを摺動自在に支承することを特徴とする。
本発明によれば、ボールに接触する円筒部及ロッドの接触面圧を低減させることができ、摩耗による耐久性を改善することができる。
この場合、前記溝は少なくとも３個有すると前記ロッドを安定に支持することができるのでよい。
さらに、前記円弧形状の曲率は前記ボールの曲率よりもわずかに大きくすると、該ボールと前記円筒部との接触部位が大きくなり、面圧を低くすることができるのでよい。
また、前記溝はアーチ形状を有すると、前記ボールの接触箇所が増加するのでより一層面圧を低くすることができ好適である。
【発明の効果】
【０００５】
本発明は、ボールの当接部位を曲面に形成することで該ボールに接触する円筒部及びロッドの接触面圧を低減させることができ、摩耗による耐久性を改善することが可能であり、かつ該ボールの数を減らすことができるので、組立工数の削減、コストの低減を図ることが可能である。
【発明を実施するための最良の形態】
【０００６】
本発明の実施の形態に係る電磁弁４０について図面により詳細に説明する。図１は本発明の実施の形態に係る電磁弁４０の概略構造を示す縦断面図である。
電磁弁４０は、磁性体の金属材料であるハウジング４１を有し、該ハウジング４１は円筒部４２とフランジ部４３とを備える。前記ハウジング４１の内方には、嵌合孔４４が貫通して形成される。この場合、前記円筒部４２は、固定鉄芯としての機能を有する。
【０００７】
図１及び図２に示すように、円筒部４２には軸心方向に沿って円周上に等間隔に横断面略円弧状の溝４５が複数個、例えば３個の溝４５ａ〜４５ｃが等間隔で形成される。前記溝４５ａ〜４５ｃの円弧状の曲率は球形状のボール４７ａ〜４７ｃの曲率よりも大きく形成される。さらに、溝４５ａ〜４５ｃにはロッド４６の外周面に当接する磁性体の金属材料のボール４７ａ〜４７ｃが嵌挿される。よって、ロッド４６は、ボール４７ａ〜４７ｃにより摺動自在に支承される。
【０００８】
この場合、前記ボール４７ａ〜４７ｃとロッド４６及び溝４５ａ〜４５ｃとは互いに円弧面にて当接するので、これらは結局、両者の曲率を近づけることにより、ハウジング４１の円筒部４２の接触面圧を低くすることができる。なお、溝４５ａ〜４５ｃは、少なくとも３個形成されると望ましいが、それ以上、例えば４〜８個を形成しても勿論よい。
【０００９】
図３は、溝４５の他の形状を示す断面図である。図３において溝４８はロッド４６の外周面に対し先端が横断面略アーチ形状に形成される。よって、ボール４７ａ〜４７ｃの外周面は溝４８ａ〜４８ｃに対し２箇所で当接するので、ハウジング４１の円筒部４２の接触面圧をより一層低くすることができる。
【００１０】
ハウジング４１の外周にはソレノイド５０が配設され、該ソレノイド５０はボビン５０ａにコイル５０ｂが巻き回されカバー５１によって覆われている。前記ソレノイド５０の一端には、非磁性体のエンドカバー５２が当接しており、該エンドカバー５２に前記カバー５１の一端が固着されている。カバー５１には、ハウジング４１の嵌合孔４４と同軸に穴５３が形成されており、該穴５３に前記可動鉄芯５４が変位自在に遊嵌さている。参照符号５５はスリーブで、ハウジング４１に当接した状態でカバー５１の一端を、例えば加締めることによりハウジング４１と一体化される。前記スリーブ５５には、嵌合孔４４と同軸にスリーブ孔５６が穿設され、該スリーブ孔５６にスプール５７が摺動自在に嵌挿されている。前記スリーブ５５には、ハウジング４１から順に図示しないタンクとスリーブ孔５６とを連通するタンク通路５８と、図示しないアクチュエータとスリーブ孔５６とを連通する制御通路５９と、図示しないポンプとスリーブ孔５６とを連通する供給通路６０とを備える。
【００１１】
前記スプール５７は、第１のランド部６１、第２のランド部６２が間隔をおいて軸心方向に沿って形成されており、第１のランド部６１によりタンク通路５８と制御通路５９との連通制御が行われ、第２のランド部６２により制御通路５９と供給通路６０との連通制御が行われる。スリーブ孔５６にはアジャスタ６３が螺着されており、該アジャスタ６３と第２ランド部６２との間にはスプール５７をロッド４６に当接する方向に付勢するばね部材６４が介装されている。
図２及び図３において、ハウジング４１の外周面にボール４７を嵌挿する溝４５及び４８を形成したが、該ハウジング４１の内周面に嵌挿する部材、例えば円筒部材（図示しない）に前記ボール４７の溝４５及び４８を設けても勿論よい。
【００１２】
本発明の実施の形態に係る電磁弁４０は、基本的には以上のように構成されるものであり、次にその動作について説明する。
図１においてソレノイド５０は非励磁であって、スプール５７がばね部材６４の弾発力により矢印Ｘ方向に変位し、第１のランド部６１によってタンク通路５８と制御通路５９とが連通状態に確保され、第２のランド部６２により供給通路６０を閉塞している。
ソレノイド５０に電流を印加すると、カバー５１、円筒部４２、可動鉄芯５４を通る磁力線が発生し、可動鉄芯５４がばね部材６４の弾発力に抗して矢印Ｙ方向に変位する。
【００１３】
よって、スプール５７が溝４５に係合するボール４７に摺動自在に支承され、該ボール４７を介して矢印Ｙ方向に変位する。このとき、ボール４７は溝４５の円弧面とロッド４６の外周面に接触して回転するので、ロッド４６の変位による摺動抵抗が軽減される。さらに、円筒部４２の接触面圧が低く設定することができるので該円筒部４２の摩耗が軽減し、耐久性を向上させることが可能である。
この実施の形態に係る電磁弁４０は通常の電磁弁について説明したが、比例電磁弁にも適用できる。
【図面の簡単な説明】
【００１４】
【図１】本発明の実施の形態に係る電磁弁の概略構造を示す縦断面図である。
【図２】図１のＩＩ−ＩＩ線の断面図である。
【図３】図２の変形例を示す断面図である。
【符号の説明】
【００１５】
４０  電磁弁
４１  ハウジング
４２  円筒部
４３  フランジ部
４４  嵌合孔
４５  溝
５０  ソレノイド
５４  可動鉄芯
５５  スリーブ
５７  スプール
【図１】
2005344904.tif 000003
【図２】
2005344904.tif 000004
【図３】
2005344904.tif 000005